(57)【要約】【課題】収納作業が容易で被収納物の変形もなく、製造コストを低減できる透明樹脂フィルム製収納容器を実現する。【解決手段】収納容器１ａは、身１１ａ　と蓋１２ａ　それぞれの本体部１１１　、１２１　の切り口の全周から外方に延びるフィン１１２　、１２２　を有し、縦方向の１辺において身側のフィン１１２　と蓋側のフィン１２２　とが接続され、接続線にミシン目１５が加工されているとともに、身側のフィン１１２　の対辺にフィン１１２　に接続してさらに外方に延びる舌部１３が形成され、この舌部１３とフィン１１２　との境界線にもミシン目１４が加工されている。【選択図】　　　　図１
2004136969.tif 000002
【特許請求の範囲】
【請求項１】
透明樹脂フィルム製収納容器であって、被収納物を覆う形状を一平面で２分割した本体部（１１１　、１２１　）を有する身（１１）と蓋（１２）とからなり、この身（１１）と蓋（１２）それぞれの本体部（１１１　、１２１　）の前記分割面位置で切り口の全周から外方に延びる略一定幅のフィン（１１２　、１２２　）を有し、前記切り口の１辺において身側のフィン（１１２　）と蓋側のフィン（１２２　）とが接続され、接続線においてミシン目（１５）が加工されているとともに、身側または蓋側のフィン（１１２　、１２２　）の相手側のフィン（１２２　、１１２　）に接続されている以外の少なくとも１辺には前記フィン（１１２　、１２２　）に接続してさらに外方に延びる舌部（１３）が形成され、この舌部（１３）と前記フィン（１１２　、１２２　）との境界線にもミシン目（１４）が加工されていることを特徴とする透明樹脂フィルム製収納容器。
【請求項２】
前記透明樹脂フィルムがＰＥＴ樹脂フィルムである請求項１に記載の透明樹脂フィルム製収納容器。
【請求項３】
前記被収納物が薄いフィルムを皿状に成形加工したトレイ（Ｔ）を多数集積してなる筒状の集積トレイ（Ａ）であり、前記被収納物を覆う形状が底部側面を面取りした筒状である請求項１または２に記載の透明樹脂フィルム製収納容器。
【請求項４】
前記身（１１ａ　）と蓋（１２ａ　）との本体部（１１１　、１２１　）の肩部の折れ線（１６、１７）がミシン目加工されていることを特徴とする請求項３に記載の透明樹脂フィルム製収納容器。
【請求項５】
前記被収納物が略三角形断面の食品であり、前記被収納物を覆う形状が低い三角柱状である請求項１または２に記載の透明樹脂フィルム製収納容器。
【請求項６】
前記被収納物が詰め合わせた食品であり、前記被収納物を覆う形状が直方体状である請求項１または２に記載の透明樹脂フィルム製収納容器。
【請求項７】
前記被収納物が略円形断面の食品であり、前記被収納物を覆う形状が低い円筒状である請求項１または２に記載の透明樹脂フィルム製収納容器。
【発明の詳細な説明】
【０００１】
【発明の属する技術分野】
本発明は、塵芥等の付着を嫌う食品や変形しやすい食品、こわれやすい食品、あるいは食品等を収納する使い捨てのトレイを多数集積してなる筒状の集積トレイを収納する透明樹脂フィルム製収納容器に関する。
【０００２】
【従来の技術】
クッキー、グラタン等の加熱調理を行う食品を流し込んだり、チョコレート等を載せて箱に並べたり、あるいは市販の弁当等で薬味や漬物等の副食物を入れたりするのに、図７（ａ）に示すようなトレイが使用されている。このトレイＴはアルミニウム等の金属箔、薄い紙、あるいは樹脂フィルム等を例えば円形に打ち抜き、底部となる中央を残して周囲に放射線状にひだを加工し斜めに折り返して皿状としたもので、使用後は食品残材とともに廃却できる使い捨て容器である。こうしたトレイを製造、販売するに際しては、例えば同一形状寸法のトレイを多数個集積して容器に収納し、輸送、保管するとともに容器ごと販売するのが普通である。図７（ａ）に示したトレイＴを集積したものＡ（以下「集積トレイ」という）を図７（ｂ）に示している。集積トレイの形状はこの図に示すように、トレイＴの外周形状が略円形であれば底部側面を面取りした円筒状であり、トレイＴが楕円であれば底部側面を面取りした楕円筒状である。仮にトレイＴの外周形状が正方形であれば、底部側面を面取りした角筒状となる。本明細書ではこれらをまとめて、「筒状の」と表現している。ちなみに、現在市販されているトレイとしては円形のものが最も一般的である。
【０００３】
従来、このような集積トレイを収納する容器としては、例えば図８に示すようなものがある。この収納容器２は透明な樹脂フィルム製で、身２１と蓋２２とに別れているが、身２１と蓋２２とのそれぞれの外郭を構成する本体部２１１　、２２１　と、身２１と蓋２２との合わせ面の全周に形成されたフィン２１２　、２２２　とからなり、フィン２１２　、２２２　の各１辺が折れ目２５を介してつながっており、またこのつながった１辺の対辺にはそれぞれ張り出した舌部２３、２４が形成されている。蓋２２を身２１にかぶせたとき、折れ目２５を折り返すことで両者のフィン２１２　、２２２　が重なり合って容器の形状を保持する。同時に舌部２３、２４も重なるから、重なった部分をホチキスで止めるか、セロファンテープで押さえるか、あるいは高周波処理で接着するなどして封がなされるのである。
【０００４】
このような収納容器２においては、第１に既製の容器であるため収納する集積トレイと内部の形状、大きさがぴったり合うわけではなく、隙間が生じたり多少トレイが押しつぶされたりする場合があること、第２に樹脂フィルムに弾性力があるため、蓋２２を押さえていない限り図５のような形状に開こうとするので詰め込み作業がやりにくいこと、第３にホチキス止めは食品への針の混入のおそれがあり、高周波処理はコスト高であり、セロファンテープは舌部２３、２４が重なっているため押さえにくいなど、封印手段がやりにくいという問題点がある。
【０００５】
また図９に示すような円筒形の既製の容器が使用されることもある。この収納容器３は少なくとも円筒状の胴部３１が透明な樹脂フィルム製で、胴部３１の本体部３１１　の１か所に縦方向の重ね合わせであるシーム部３１２　があり、この本体部３１１　に底部３２が接合されており、内容物を収納した後、蓋３３をかぶせて封印する。
この場合は、構成部材が多く、従って接合箇所が多い上に、強度を持たせるために厚めの材料が必要であり、結局かなりコスト高となってしまうという問題点がある。
【０００６】
以上集積トレイを収納する透明樹脂フィルム製収納容器を例に説明したが、この他おにぎり、巻き鮨、パン、果物など、店頭における展示、あるいは持ち運び途中における塵芥による汚染や型崩れを嫌う食品等にはさまざまな形状の透明樹脂フィルム製収納容器が使用されているが、これらにおいても同様の問題点がある。
【０００７】
【発明が解決しようとする課題】
本発明は、このような従来の技術における問題点を解消し、収納作業が容易でトレイの変形もなく、製造コストを低減できる集積トレイの収納容器を実現することを目的とする。
【０００８】
【課題を解決するための手段】
本発明は、透明樹脂フィルム製収納容器であって、被収納物を覆う形状を一平面で２分割した本体部を有する身と蓋とからなり、この身と蓋それぞれの本体部の前記分割面位置で切り口の全周から外方に延びる略一定幅のフィンを有し、前記切り口の１辺において身側のフィンと蓋側のフィンとが接続され、接続線においてミシン目が加工されているとともに、身側または蓋側のフィンの相手側のフィンに接続されている以外の少なくとも１辺には前記フィンに接続してさらに外方に延びる舌部が形成され、この舌部とフィンとの境界線にもミシン目加工されていることを特徴とする透明樹脂フィルム製収納容器であり、望ましくは、前記透明樹脂フィルムがＰＥＴ樹脂フィルムである前記の透明樹脂フィルム製収納容器である。
【０００９】
【発明の実施の形態】
本発明の実施例を図面により説明する。図１は本発明の第一の実施例の収納容器１ａを示す斜視図で、１１ａ　は容器の身、１２ａ　は蓋、１１１　、１２１　はそれぞれ身１１と蓋１２の本体部、１１２　、１２２　はそれぞれ身１１と蓋１２のフィン、１３は身１１に形成された舌部、１４、１５はミシン目である。
【００１０】
この収納容器１ａは、これまで説明した集積トレイを収納する透明樹脂フィルム製のもので、前記集積トレイを覆う形状を中心軸を含む縦割り面で２分割した本体部１１１　、１２１　を有する身１１ａ　と蓋１２ａ　とからなる。身１１ａ　と蓋１２ａ　とのそれぞれの本体部１１１　、１２１　が前記集積トレイを覆う形状であるということは、すなわち本体部１１１　、１２１　が前記の「筒状の」形状となっていることであり、この収納容器１ａは、収納する集積トレイの形状に合わせて製造されているのである。
【００１１】
この身１１ａ　と蓋１２ａ　それぞれの本体部１１１　、１２１　の前記縦割り面位置で切り口の全周から外方に延びる略一定幅のフィン１１２　、１２２　を有し、前記切り口の縦方向の１辺において身側のフィン１１２　と蓋側のフィン１２２　とが接続され、この接続線にはミシン目１５が加工されている。また、身１１ａ　側のフィン１１２　の前記蓋側のフィン１２２　に接続されている１辺の対辺にはフィン１１２　に接続してさらに外方に延びる舌部１３が形成され、この舌部１３とフィン１１２　との境界線にもミシン目１４が加工されている。
【００１２】
図１の状態で集積トレイを収納したら、蓋１２ａ　を閉じる。蓋１２ａ　との折り目にはミシン目１５が加工されているから、蓋１２ａ　を容易に閉じることができる。蓋１２ａ　を閉じたら、舌部１３を蓋１２ａ　の本体部１２１　に向けて折り返し、セロファンテープＣで固定する。この状態の平面図を図２に、正面図を図３に示す。図３に示すように、舌部１３と蓋１２ａ　の本体部１２１　とは略同一平面となっているので、セロファンテープＣの貼り付けは容易である。
【００１３】
なお、図１に符号１６、１７で示した上面肩部の折れ線をミシン目に加工しておくと、この部分を切り取ることにより上蓋の開いた容器となり、内部のトレイを必要な数だけ取り出すことができる。
つぎに、図４は本発明の第二の実施例の透明樹脂フィルム製収納容器１ｂを示す斜視図で、身１１ｂ　と蓋１２ｂ　とが低い三角柱状をなしている。この実施例は被収納物として略三角形断面の食品、すなわちおにぎりを想定し透明樹脂フィルム製収納容器である。身１１ｂ　と蓋１２ｂ　との分割面の位置は高さ方向の中央でもよいが、この図のようにやや高めの位置でもよい。舌部１３は蓋側のフィン１２２　に接続して形成されている。舌部１３を身１１ｂ　の本体部１１１　に向けて折り返し、セロファンテープＣで固定するのは、身と蓋が逆になっているだけで第一の実施例と同様である。
【００１４】
つぎに、図５は本発明の第三の実施例の透明樹脂フィルム製収納容器１ｃを示す斜視図で、身１１ｃ　と蓋１２ｃ　とが直方体形状をなしている。この実施例は被収納物として巻き鮨、刺身等の詰め合わせ食品を想定した透明樹脂フィルム製収納容器である。身１１ｃ　と蓋１２ｃ　との分割面の位置は高さ方向の中央でもよいが、この図のようにやや高めの位置でもよい。舌部１３は蓋側のフィン１２２　に接続して形成されている。舌部１３を身１１ｂ　の本体部１１１　に向けて折り返し、セロファンテープＣで固定するのは、第二の実施例と全く同様である。
【００１５】
さらに図６は本発明の第四の実施例の透明樹脂フィルム製収納容器１ｃを示す斜視図で、身１１ｄ　と蓋１２ｄ　とが低い円筒形状をなしている。この実施例は被収納物として果物、菓子等の食品を想定した透明樹脂フィルム製収納容器である。身１１ｄと蓋１２ｄとの分割面の位置は高さ方向の中央でもよいが、この図のようにやや高めの位置でもよい。舌部１３は蓋側のフィン１２２　に接続して形成されている。舌部１３を身１１ｂ　の本体部１１１　に向けて折り返し、セロファンテープＣで固定するのは、これまでの各実施例と全く同様である。
【００１６】
本発明の収納容器は樹脂フィルムを熱間でプレス成型して製造することができる。容器の形状を内部の被収納物の形状にぴったりと対応させることが容易であるから、被収納物によって強度が保たれ、容器自体の樹脂フィルムは極めて薄いものでよいので材料が節約され、例えば図８に示したような従来品のおよそ１／５のコストで製造することができる。隙間がなく、また無理に押し込まれることもないので被収納物が変形することがない。
【００１７】
樹脂フィルムの樹脂としては、透明なものなら何でもよい。塩化ビニル、ポリプロピレン等も使用できるが、使用後に焼却処理する場合を考慮すると、ダイオキシンの発生するおそれのないＰＥＴ（ポリエチレンテレフタレート）が最も望ましい。
本発明の収納容器は、蓋１２の本体部１２１　の表面にラベルを貼り、ＰＯＳ（商品売上管理）マーク、注意事項、商品名等を表示することも容易である。
【００１８】
【発明の効果】
本発明によれば、収納作業がやりやすく収納する食品やトレイの汚染や変形もなく、収納容器の製造コストを低減できるという、すぐれた効果を奏する。
【図面の簡単な説明】
【図１】本発明の第一の実施例の収納容器を開いた状態で示す斜視図である。
【図２】本発明の第一の実施例の収納容器を蓋を閉じた状態で示す平面図である。
【図３】本発明の第一の実施例の収納容器を蓋を閉じた状態で示す正面図である。
【図４】本発明の第二の実施例の収納容器を開いた状態で示す斜視図である。
【図５】本発明の第三の実施例の収納容器を開いた状態で示す斜視図である。
【図６】本発明の第四の実施例の収納容器を開いた状態で示す斜視図である。
【図７】本発明に係わるトレイおよび集積トレイを示す斜視図である。
【図８】従来の収納容器を開いた状態で示す斜視図である。
【図９】従来の他の収納容器を開いた状態で示す斜視図である。
【符号の説明】
１ａ、　１ｂ　、　１ｃ　、　１ｄ　、２、３　　収納容器
１１ａ　、１１ｂ　、１１ｃ　、１１ｄ　、２１　　身
１２ａ　、１２ｂ　、１２ｃ　、１２ｄ　、２２、３３　　　　蓋
１３、２３、２４　　　　舌部
１４、１５　　ミシン目
１６、１７　　　　折れ線
２５　　折れ目
３１　　　　胴部
３２　　底部
１１１　、１２１　、２１１　、２２１　、３１１　　　　　本体部
１１２　、１２２　、２１２　、２２２　　　フィン
３１２　　シーム部
Ａ　　集積トレイ
Ｃ　　セロファンテープ
Ｔ　　トレイ
【図１】
2004136969.tif 000003
【図２】
2004136969.tif 000004
【図３】
2004136969.tif 000005
【図４】
2004136969.tif 000006
【図５】
2004136969.tif 000007
【図６】
2004136969.tif 000008
【図７】
2004136969.tif 000009
【図８】
2004136969.tif 000010
【図９】
2004136969.tif 000011